(57)【要約】【課題】相乗りタクシーの全てのユーザの条件に適合したタクシー経路及び負担金額を決定する。【解決手段】出品データ取得部２４ａは、タクシー経路の出品のために出品者により設定された第１のタクシー経路の情報を有する出品データを取得する。公開データ提供部２４ｂは、電子機器に表示可能な公開データを、出品データに基づいて作成する。入札データ取得部２４ｃは、タクシー経路の入札のために入札者により設定されたタクシーの相乗りの際の負担金額及び第１のタクシー経路と少なくとも一部が重複する第２のタクシー経路の情報を有する入札データを取得する。落札者決定部２４ｄは、入札した複数の第２のユーザが存在する場合、第１のタクシー経路と第２のタクシー経路との重複距離と負担金額のうちの少なくとも一方に基づいて、入札した複数の第２のユーザのうちの少なくとも一人の第２のユーザを落札者として決定する。【選択図】図３
2020021143.tif 000002
【特許請求の範囲】
【請求項１】
第１の電子機器に関連する第１のユーザが第２の電子機器に関連する第２のユーザを相乗りタクシーの同乗者として設定する相乗りタクシー同乗者設定装置であって、
第１の電子機器及び第２の電子機器と通信を行うための通信インタフェースと、
処理部と、
を備え、前記処理部は、
タクシー経路の出品のために第１のユーザにより設定された第１のタクシー経路の情報を有する出品データを、前記通信インタフェースを介して第１の電子機器から取得する出品データ取得部と、
第２の電子機器に表示可能な公開データを、前記出品データに基づいて作成し、前記公開データを、前記通信インタフェースを介して第２の電子機器に提供する公開データ提供部と、
タクシー経路の入札のために第２のユーザにより設定されたタクシーの相乗りの際の入札金額及び前記第１のタクシー経路と少なくとも一部が重複する第２のタクシー経路の情報を有する入札データを、前記通信インタフェースを介して第２の電子機器から取得する入札データ取得部と、
入札した複数の第２のユーザが存在する場合、前記第１のタクシー経路と前記第２のタクシー経路との重複距離と前記入札金額のうちの少なくとも一方に基づいて、入札した複数の第２のユーザのうちの少なくとも一人の第２のユーザを落札者として決定する落札者決定部と、
を有する相乗りタクシー同乗者設定装置。
【請求項２】
前記公開データ提供部は、第１のユーザの乗車地点と降車地点のうちの少なくとも一方を非公開にした前記公開データを、前記第１のタクシー経路の情報に基づいて作成する請求項１に記載の相乗りタクシー同乗者設定装置。
【請求項３】
前記公開データ提供部は、前記第１のタクシー経路に沿った複数の特定地点の情報を有する前記公開データを作成し、前記複数の特定地点は、第２のユーザの乗車地点及び降車地点として第２の電子機器によって指定可能である請求項１又は２に記載の相乗りタクシー同乗者設定装置。
【請求項４】
前記出品データは、第１のユーザの属性の情報を更に含み、前記公開データ提供部は、前記出品データから取得した第１のユーザの属性の情報を含む前記公開データを作成する請求項１〜３のいずれか一項に記載の相乗りタクシー同乗者設定装置。
【請求項５】
前記公開データ提供部は、前記公開データに関連するとともに第２の電子機器に表示可能な関連データを作成し、前記関連データを、前記公開データと共に前記通信インタフェースを介して第２の電子機器に提供する請求項１〜４のいずれか一項に記載の相乗りタクシー同乗者設定装置。
【請求項６】
前記関連データは、前記重複距離及び前記相乗りタクシー同乗者設定装置に設定されたタクシーの相乗りの際の予想負担金額の情報を有する請求項５に記載の相乗りタクシー同乗者設定装置。
【請求項７】
前記入札データは、第２のユーザの属性の情報を更に有する請求項１〜６のいずれか一項に記載の相乗りタクシー同乗者設定装置。
【請求項８】
第１の電子機器と、
第２の電子機器と、
第１の電子機器に関連する第１のユーザが第２の電子機器に関連する第２のユーザを相乗りタクシーの同乗者として設定する相乗りタクシー同乗者設定装置と、を備えるシステムであって、前記相乗りタクシー同乗者設定装置は、
前記第１の電子機器及び前記第２の電子機器と通信を行うための通信インタフェースと、
処理部と、
を備え、前記処理部は、
タクシー経路の出品のために第１のユーザにより設定された第１のタクシー経路の情報を有する出品データを、前記通信インタフェースを介して第１の電子機器から取得する出品データ取得部と、
第２の電子機器に表示可能な公開データを、前記出品データに基づいて作成し、前記公開データを、前記通信インタフェースを介して第２の電子機器に提供する公開データ提供部と、
タクシー経路の入札のために第２のユーザにより設定されたタクシーの相乗りの際の入札金額及び前記第１のタクシー経路と少なくとも一部が重複する第２のタクシー経路の情報を有する入札データを、前記通信インタフェースを介して第２の電子機器から取得する入札データ取得部と、
入札した複数の第２のユーザが存在する場合、前記第１のタクシー経路と前記第２のタクシー経路との重複距離と前記入札金額のうちの少なくとも一方に基づいて、入札した複数の第２のユーザのうちの少なくとも一人の第２のユーザを落札者として決定する落札者決定部と、
を有する相乗りタクシー同乗者設定装置を備えるシステム。
【請求項９】
第１の電子機器に関連する第１のユーザが第２の電子機器に関連する第２のユーザを相乗りタクシーの同乗者として設定する相乗りタクシー同乗者設定方法であって、
第１の電子機器が、タクシー経路の出品のために第１のユーザにより設定された第１のタクシー経路の情報を有する出品データを、サーバに送信するステップと、
サーバが、第２の電子機器に表示可能な公開データを、前記出品データに基づいて作成し、前記公開データを、第２の電子機器に送信するステップと、
第２の電子機器が、タクシー経路の入札のために第２のユーザにより設定されたタクシーの相乗りの際の入札金額及び前記第１のタクシー経路と少なくとも一部が重複する第２のタクシー経路の情報を有する入札データを、サーバに送信するステップと、
サーバが、入札した複数の第２のユーザが存在する場合、前記第１のタクシー経路と前記第２のタクシー経路との重複距離と前記入札金額のうちの少なくとも一方に基づいて、入札した複数の第２のユーザのうちの少なくとも一人の第２のユーザを落札者として決定するステップと、
を有する相乗りタクシー同乗者設定方法。
【発明の詳細な説明】
【技術分野】
【０００１】
本発明は、相乗りタクシー同乗者設定装置及びそれを備えるシステム並びに相乗りタクシー同乗者設定方法に関する。
【背景技術】
【０００２】
従来、相乗りタクシーの同乗者を設定する相乗りタクシー同乗者設定装置が提案されている（例えば、特許文献１）。このような相乗りタクシー同乗者設定装置は、相乗りタクシーの二人以上の同乗者を設定し、全ての同乗者の乗車地点及び降車地点を含むタクシー経路及び各同乗者の負担金額を決定している。
【０００３】
二人の同乗者が相乗りタクシーを利用する場合のタクシー経路は、例えば、一方の同乗者の乗車地点、他方の同乗者の乗車地点、一方の同乗者の降車地点及び他方の同乗者の降車地点に順に到達するようにタクシー経路が設定される。また、二人の同乗者が相乗りタクシーを利用する場合の各同乗者の負担金額は、例えば、一方の同乗者の乗車地点から降車地点までのタクシー経路の距離、他方の同乗者の乗車地点から降車地点までのタクシー経路の距離及びこれらのタクシー経路の重複距離に基づいて決定される。
【先行技術文献】
【特許文献】
【０００４】
【特許文献１】特開２００３−１８６９５９号公報
【発明の概要】
【発明が解決しようとする課題】
【０００５】
相乗りタクシー同乗者設定装置においてタクシー経路を設定する場合、全ての同乗者の乗車地点及び降車地点を含むようにタクシー経路が決定されるので、同乗者である相乗りタクシーの全てのユーザの条件に適合したタクシー経路及び負担金額を決定するのが困難となる。
【０００６】
本発明の目的は、相乗りタクシーの全てのユーザの条件に適合したタクシー経路及び負担金額を決定することができる相乗りタクシー同乗者設定装置及び方法並びに相乗りタクシー同乗者設定装置を備えるシステムを提供することである。
【課題を解決するための手段】
【０００７】
本発明による相乗りタクシー同乗者設定装置は、第１の電子機器に関連する第１のユーザが第２の電子機器に関連する第２のユーザを相乗りタクシーの同乗者として設定する相乗りタクシー同乗者設定装置であって、第１の電子機器及び第２の電子機器と通信を行うための通信インタフェースと、処理部と、を備え、処理部は、タクシー経路の出品のために第１のユーザにより設定された第１のタクシー経路の情報を有する出品データを、通信インタフェースを介して第１の電子機器から取得する出品データ取得部と、第２の電子機器に表示可能な公開データを、出品データに基づいて作成し、公開データを、通信インタフェースを介して第２の電子機器に提供する公開データ提供部と、タクシー経路の入札のために第２のユーザにより設定されたタクシーの相乗りの際の入札金額及び第１のタクシー経路と少なくとも一部が重複する第２のタクシー経路の情報を有する入札データを、通信インタフェースを介して第２の電子機器から取得する入札データ取得部と、入札した複数の第２のユーザが存在する場合、第１のタクシー経路と第２のタクシー経路との重複距離と入札金額のうちの少なくとも一方に基づいて、入札した複数の第２のユーザのうちの少なくとも一人の第２のユーザを落札者として決定する落札者決定部と、を有する。
【０００８】
好適には、公開データ提供部は、第１のユーザの乗車地点と降車地点のうちの少なくとも一方を非公開にした公開データを、第１のタクシー経路の情報に基づいて作成する。
【０００９】
好適には、公開データ提供部は、第１のタクシー経路に沿った複数の特定地点の情報を有する公開データを作成し、複数の特定地点は、第２のユーザの乗車地点及び降車地点として第２の電子機器によって指定可能である。
【００１０】
好適には、出品データは、第１のユーザの属性の情報を更に含み、公開データ提供部は、出品データから取得した第１のユーザの属性の情報を含む公開データを作成する。
【００１１】
好適には、公開データ提供部は、公開データに関連するとともに第２の電子機器に表示可能な関連データを作成し、関連データを、公開データと共に通信インタフェースを介して第２の電子機器に提供する。
【００１２】
好適には、関連データは、重複距離及び相乗りタクシー同乗者設定装置に設定されたタクシーの相乗りの際の予想負担金額の情報を有する。
【００１３】
好適には、入札データは、第２のユーザの属性の情報を更に有する。
【００１４】
本発明による相乗りタクシー同乗者設定装置を備えるシステムは、第１の電子機器と、第２の電子機器と、第１の電子機器に関連する第１のユーザが第２の電子機器に関連する第２のユーザを相乗りタクシーの同乗者として設定する相乗りタクシー同乗者設定装置と、を備えるシステムであって、相乗りタクシー同乗者設定装置は、第１の電子機器及び第２の電子機器と通信を行うための通信インタフェースと、処理部と、を備え、処理部は、タクシー経路の出品のために第１のユーザにより設定された第１のタクシー経路の情報を有する出品データを、通信インタフェースを介して第１の電子機器から取得する出品データ取得部と、第２の電子機器に表示可能な公開データを、出品データに基づいて作成し、公開データを、通信インタフェースを介して第２の電子機器に提供する公開データ提供部と、タクシー経路の入札のために第２のユーザにより設定されたタクシーの相乗りの際の入札金額及び第１のタクシー経路と少なくとも一部が重複する第２のタクシー経路の情報を有する入札データを、通信インタフェースを介して第２の電子機器から取得する入札データ取得部と、入札した複数の第２のユーザが存在する場合、第１のタクシー経路と第２のタクシー経路との重複距離と入札金額のうちの少なくとも一方に基づいて、入札した複数の第２のユーザのうちの少なくとも一人の第２のユーザを落札者として決定する落札者決定部と、を有する。
【００１５】
本発明による相乗りタクシー同乗者設定方法は、第１の電子機器に関連する第１のユーザが第２の電子機器に関連する第２のユーザを相乗りタクシーの同乗者として設定する相乗りタクシー同乗者設定方法であって、第１の電子機器が、タクシー経路の出品のために第１のユーザにより設定された第１のタクシー経路の情報を有する出品データを、サーバに送信するステップと、サーバが、第２の電子機器に表示可能な公開データを、出品データに基づいて作成し、公開データを、第２の電子機器に送信するステップと、第２の電子機器が、タクシー経路の入札のために第２のユーザにより設定されたタクシーの相乗りの際の入札金額及び第１のタクシー経路と少なくとも一部が重複する第２のタクシー経路の情報を有する入札データを、サーバに送信するステップと、サーバが、入札した複数の第２のユーザが存在する場合、第１のタクシー経路と第２のタクシー経路との重複距離と入札金額のうちの少なくとも一方に基づいて、入札した複数の第２のユーザのうちの少なくとも一人の第２のユーザを落札者として決定するステップと、を有する。
【発明の効果】
【００１６】
本発明によれば、相乗りタクシーの全てのユーザの条件に適合したタクシー経路及び負担金額を決定することができる。
【図面の簡単な説明】
【００１７】
【図１】本発明による相乗りタクシー同乗者設定装置を用いるシステムの構成図である。
【図２】図１の携帯機器の構成図である。
【図３】図１のサーバの構成図である。
【図４】図１のシステムの処理手順の一例を示すフローチャートである。
【図５】出品データを作成する際の携帯機器の表示画面の表示例を示す図である。
【図６】相乗りタクシーを検索する際の携帯機器の表示画面の表示例を示す図である。
【図７】公開データを表示している携帯機器の表示画面の表示例を示す図である。
【図８】予約データを表示している携帯機器の表示画面の第１の表示例を示す図である。
【図９】図１のシステムの処理手順の変形例を示すフローチャートである。
【図１０】入札結果データを表示している携帯機器の表示画面の第１の表示例を示す図である。
【図１１】入札結果データを表示している携帯機器の表示画面の第２の表示例を示す図である。
【図１２】予約データを表示している携帯機器の表示画面の第２の表示例を示す図である。
【発明を実施するための形態】
【００１８】
本発明による相乗りタクシー同乗者設定装置及び方法並びに相乗りタクシー同乗者設定装置を備えるシステムを、図面を参照しながら詳細に説明する。
図１は、本発明による相乗りタクシー同乗者設定装置を用いるシステムの構成図である。図１に示すシステムにおいて、ユーザｕ１，ｕ２，ｕ３，ｕ４，ｕ５，ｕ６の携帯機器１とサーバ２とのデータのやり取りを行う。本実施の形態では、携帯機器１は、スマートフォン等である。また、本実施の形態では、サーバ２は、本発明による相乗りタクシー同乗者設定装置として用いられる。
【００１９】
図１では、基地局３、基地局３に一端が接続された有線４、有線４の他端が接続されたＬＴＥ網５、ＬＴＥ網５に一端が接続された有線６、有線６の他端が接続されたゲートウェイ７、ゲートウェイ７に一端が接続された有線８、有線８の他端が接続されたインターネット網９及びインターネット網９とサーバ２とを接続する有線１０が携帯機器１とサーバ２の間に介在する例を示す。
【００２０】
本実施の形態において、ユーザｕ１，ｕ２がタクシー経路の出品者であるとともにユーザｕ３，ｕ４，ｕ５，ｕ６がタクシー経路の入札者である場合について説明する。ユーザｕ１，ｕ２は、第１の電子機器に関連する第１のユーザに対応し、ユーザｕ３，ｕ４，ｕ５，ｕ６は、第２の電子機器に関連する第２のユーザに対応する。すなわち、ユーザｕ１，ｕ２の携帯機器１は、第１の電子機器に対応し、ユーザｕ３，ｕ４，ｕ５，ｕ６の携帯機器１は、第２の電子機器に対応する。出品者であるユーザの人数は一人以上であればよい。また、入札者であるユーザの人数は一人以上であればよい。
【００２１】
本実施の形態では、携帯機器１を操作するユーザｕ１，ｕ２はそれぞれ、サーバ２を介して、携帯機器１を操作するユーザｕ３，ｕ４，ｕ５，ｕ６のうちの選択したユーザを相乗りタクシーの同乗者（落札者）として設定することができる。
【００２２】
図２は、図１の携帯機器の構成図である。携帯機器１は、通信部１１、表示画面１２、ＲＯＭ１３、ＲＡＭ１４及びＣＰＵ１５を備える。
【００２３】
通信部１１は、ＣＰＵ１５に接続され、基地局３に接続するためのインタフェース回路を有する。そして、通信部１１は、基地局３、ＬＴＥ網５、ゲートウェイ７及びインターネット網９を介してサーバ２と通信を行う。
【００２４】
表示画面１２は、各種処理に応じてＣＰＵ１５によって出力された画像データに対応する画像を表示する。本実施の形態では、表示画面１２は、タッチパネルとなっており、表示画面１２に触れた指の位置を検出することができる。また、検出された結果については、ＣＰＵ１５で取得でき、検出された結果に対応する指示は、ＣＰＵ１５によって実行される。
【００２５】
ＲＯＭ１３は、ＣＰＵ１５に接続され、携帯機器１の制御等のための各種制御コンピュータプログラム及び各種データを格納する。本実施の形態では、ＲＯＭ１３は、ユーザＩＤと、タクシー経路として指定可能な道路及び当該道路上に存在する携帯機器１により指定可能な複数の特定地点の情報を含む地図データと、を格納する。
【００２６】
特定地点は、相乗りタクシーを乗降可能な地点（例えば、公共施設の出入り口前）であり、ユーザｕ１，ｕ２，ｕ３，ｕ４，ｕ５，ｕ６は、携帯機器１を用いて共通の特定地点を指定可能である。
【００２７】
また、本実施の形態では、ＲＯＭ１３は、タクシー経路として指定可能な道路上に存在する複数の特定地点の一つの特定地点とそれ以外の特定地点との間の距離の関係を示す距離テーブルと、相乗りタクシーの走行距離と予想負担金額との関係を示す金額テーブルと、を格納する。
【００２８】
ＲＡＭ１４は、ＣＰＵ１５に接続される。ユーザｕ１，ｕ２の携帯機器１のＲＡＭ１４は、性別等のユーザｕ１，ｕ２の属性の情報、タクシー経路の出品のためにユーザｕ１，ｕ２により携帯機器１を用いてそれぞれ設定されたタクシー経路の情報等を格納する。
【００２９】
タクシー経路の出品のためにユーザｕ１，ｕ２により携帯機器１を用いてそれぞれ設定されたタクシー経路の情報は、タクシー経路の座標、タクシー経路に含まれる特定地点、タクシー経路の距離、相乗りタクシーの出発時間、予想負担金額、相乗りタクシーの乗客数等を含む。
【００３０】
ユーザｕ１，ｕ２により携帯機器１を用いてそれぞれ設定されたタクシー経路は、第１のタクシー経路の一例である。ユーザｕ１，ｕ２の属性の情報は、第１のユーザの属性の情報の一例である。
【００３１】
ユーザｕ１，ｕ２は、ユーザｕ１，ｕ２により携帯機器１を用いてそれぞれ設定されたタクシー経路として、乗車地点から降車地点までの距離が最短となるタクシー経路、景勝地の付近を通過するタクシー経路等を選択することができる。ユーザｕ１，ｕ２は、携帯機器１を用いてタクシー経路を設定することによってユーザｕ１，ｕ２の好みのタクシー経路を選択することができる。
【００３２】
ユーザｕ３，ｕ４，ｕ５，ｕ６の携帯機器１のＲＡＭ１４は、性別等のユーザｕ３，ｕ４，ｕ５，ｕ６の属性の情報、タクシー経路の入札のためにユーザｕ３，ｕ４，ｕ５，ｕ６によりそれぞれ設定されたタクシーの相乗りの入札金額及びタクシー経路の情報等を格納する。ユーザｕ３，ｕ４，ｕ５，ｕ６によりそれぞれ設定されたタクシー経路は、ユーザｕ１，ｕ２により携帯機器１を用いてそれぞれ設定されたタクシー経路と少なくとも一部が重複する。
【００３３】
ユーザｕ３，ｕ４，ｕ５，ｕ６によりそれぞれ設定されたタクシー経路は、第２のタクシー経路の一例である。ユーザｕ３，ｕ４，ｕ５，ｕ６の属性の情報は、第２のユーザの属性の情報の一例である。
【００３４】
ＣＰＵ１５は、ＲＯＭ１３に格納された各種制御コンピュータプログラムを実行する。例えば、ＣＰＵ１５は、表示画面１２のタッチパネルによって検出された結果に基づく処理（例えば、表示画面１２に表示されたキーボードのキーの入力に対応する文字の入力、表示画面１２に触れた指の位置に対応する動作）を行う。
【００３５】
本実施の形態では、ユーザｕ１，ｕ２の携帯機器１のＣＰＵ１５は、ユーザｕ１，ｕ２の属性の情報及びユーザｕ１，ｕ２により携帯機器１を用いてそれぞれ設定されたタクシー経路の情報を有する出品データを作成する。そして、ユーザｕ１，ｕ２の携帯機器１のＣＰＵ１５は、作成した出品データを、通信部１１を介してサーバ２に送信する。
【００３６】
出品データを作成するに際し、ユーザｕ１，ｕ２の携帯機器１のＣＰＵ１５は、ユーザｕ１，ｕ２により携帯機器１を用いてそれぞれ設定されたタクシー経路の情報に含まれるタクシー経路の座標を、ユーザｕ１，ｕ２が表示画面１２に表示された地図をなぞることに対応する表示画面１２のタッチパネルを介した入力に応じて、地図データに基づいて求める。
【００３７】
また、出品データを作成するに際し、ユーザｕ１，ｕ２の携帯機器１のＣＰＵ１５は、上述したタクシー経路の情報に含まれるタクシー経路の距離及び当該タクシー経路を走行するタクシーにユーザｕ１，ｕ２が一人で乗車した場合の負担金額をそれぞれ、距離テーブル及び金額テーブルに基づいて求める。
【００３８】
また、出品データを作成するに際し、ユーザｕ１，ｕ２の携帯機器１のＣＰＵ１５は、上述したタクシー経路の情報に含まれる相乗りタクシーの出発時間及び相乗りタクシーの乗客数を、ユーザｕ１，ｕ２による表示画面１２のタッチパネルを介した入力により設定する。出発時間を、例えば、現在の時刻から３〜８時間後に設定可能にする。
【００３９】
また、本実施の形態では、ユーザｕ３，ｕ４，ｕ５，ｕ６の携帯機器１のＣＰＵ１５は、ユーザｕ３，ｕ４，ｕ５，ｕ６の属性の情報並びに上述した入札金額及びタクシー経路の情報を有する入札データを、サーバ２から送信される後に説明する公開データ及び関連データに基づいて作成する。
【００４０】
入札データは、ユーザｕ３，ｕ４，ｕ５，ｕ６の性別、ニックネーム等に関する情報等のユーザｕ３，ｕ４，ｕ５，ｕ６の属性の情報を有する。本実施の形態では、入札データは、ユーザｕ３，ｕ４，ｕ５，ｕ６を特定するためのニックネームに関する情報を有するが、ユーザｕ３，ｕ４，ｕ５，ｕ６を特定するために、ニックネームに関する情報の代わりにユーザＩＤに関する情報を有してもよい。
【００４１】
また、入札データは、上述した入札金額、ユーザｕ１，ｕ２により携帯機器１を用いてそれぞれ設定されたタクシー経路とユーザｕ３，ｕ４，ｕ５，ｕ６により携帯機器１を用いてそれぞれ設定されたタクシー経路との重複距離等のタクシー経路に関する情報を更に有する。
【００４２】
そして、ユーザｕ３，ｕ４，ｕ５，ｕ６の携帯機器１のＣＰＵ１５は、作成した入札データを、通信部１１を介してサーバ２に送信する。
【００４３】
図３は、図１のサーバの構成図である。サーバ２は、通信部２１、ＲＯＭ２２、ＲＡＭ２３及びＣＰＵ２４を備える。
【００４４】
通信部２１は、ＣＰＵ２４に接続され、インターネット網９に接続するためのインタフェース回路を有する。そして、通信部２１は、基地局３、ＬＴＥ網５、ゲートウェイ７及びインターネット網９を介して携帯機器１と通信を行う。通信部２１は、通信インタフェースの一例である。
【００４５】
ＲＯＭ２２は、ＣＰＵ２４に接続され、各種制御コンピュータプログラム及び各種データを格納する。本実施の形態では、ＲＯＭ２２は、ユーザＩＤとユーザに関連する名称（例えば、ニックネーム）との関係を示す名称テーブルと、タクシー経路として指定可能な道路及び当該道路上に存在する複数の特定地点の情報を含む地図データと、を格納する。
【００４６】
また、本実施の形態では、ＲＯＭ２２は、タクシー経路として指定可能な道路上に存在する複数の特定地点の一つの特定地点とそれ以外の特定地点との間の距離の関係を示す距離テーブルと、相乗りタクシーの走行距離と予想負担金額との関係を示す金額テーブルと、を格納する。
【００４７】
ＲＡＭ２３は、ＣＰＵ２４に接続される。ＲＡＭ２３は、距離テーブルに基づいてＣＰＵ２４により設定された上述した重複距離、金額テーブルに基づいてＣＰＵ２４により設定されたユーザｕ３，ｕ４，ｕ５，ｕ６の予想負担金額等の情報を格納する。
【００４８】
ユーザｕ３，ｕ４，ｕ５，ｕ６の予想負担金額は、例えば、上述した重複距離に基づいて設定される。すなわち、ユーザｕ３，ｕ４，ｕ５，ｕ６の予想負担金額は、上述した重複距離が長くなるに従って多くなるように設定される。したがって、ユーザｕ１，ｕ２の予想負担金額は、上述した重複距離が長くなるに従って少なくなる。
【００４９】
ＣＰＵ２４は、ＲＯＭ２２に格納された各種制御コンピュータプログラムを実行する。ＣＰＵ２４は、処理部の一例である。本実施の形態では、ＣＰＵ２４は、ＣＰＵ２４によって実行される制御プログラムによってソフトウェア的に構成される又はＣＰＵ２４内の専用回路によりハードウェア的に構成される出品データ取得部２４ａ、公開データ提供部２４ｂ、入札データ取得部２４ｃ、落札者決定部２４ｄ及びタクシー予約部２４ｅを有する。
【００５０】
出品データ取得部２４ａは、ユーザｕ１，ｕ２の携帯機器１から受信した出品データを取得してＲＡＭ２３に格納する。公開データ提供部２４ｂは、ユーザｕ３，ｕ４，ｕ５，ｕ６の携帯機器１からの要求に応じて、携帯機器１の表示画面１２に表示可能な公開データを出品データに基づいて作成する。
【００５１】
公開データは、ユーザｕ３，ｕ４，ｕ５，ｕ６の携帯機器１に表示可能である。また、公開データは、ユーザｕ１，ｕ２の性別、ニックネーム等のユーザｕ１，ｕ２の属性の情報と、必要に応じて乗車地点と降車地点のうちの少なくとも一方を非公開にしたユーザｕ１，ｕ２のタクシー経路、出発時間等のタクシー経路に関する情報と、を有する。
【００５２】
また、公開データ提供部２４ｂは、ユーザｕ３，ｕ４，ｕ５，ｕ６の携帯機器１からの要求に応じて、公開データに関連する関連データを作成する。関連データは、ユーザｕ３，ｕ４，ｕ５，ｕ６が設定した乗車地点、降車地点及び出発時間の条件に基づいてユーザｕ３，ｕ４，ｕ５，ｕ６のそれぞれに対して個別に作成される。また、関連データは、ユーザｕ３，ｕ４，ｕ５，ｕ６の携帯機器１に表示可能であり、上述した重複距離、上述した予想負担金額等の情報を有する。
【００５３】
そして、公開データ提供部２４ｂは、作成した公開データ及び関連データを、通信部２１を介してユーザｕ３，ｕ４，ｕ５，ｕ６の携帯機器１に送信する。これによって、公開データ及び関連データは、ユーザｕ３，ｕ４，ｕ５，ｕ６の携帯機器１に提供される。
【００５４】
入札データ取得部２４ｃは、ユーザｕ３，ｕ４，ｕ５，ｕ６の携帯機器１から受信した入札データを取得してＲＡＭ２３に格納する。落札者決定部２４ｄは、上述した重複距離と上述した入札金額のうちの少なくとも一方に基づいて、入札したユーザｕ３，ｕ４，ｕ５，ｕ６のうちの少なくとも一人を落札者として決定する。
【００５５】
本実施の形態では、落札者決定部２４ｄは、入札したユーザｕ３，ｕ４，ｕ５，ｕ６のうちの入札データに含まれる上述した入札金額が最も高いユーザ及び２番目に高いユーザを、落札者（同乗者）として決定する。
【００５６】
なお、入札したユーザｕ３，ｕ４，ｕ５，ｕ６のうちの入札データに含まれる入札金額が同一である場合、落札者決定部２４ｄは、入札したユーザｕ３，ｕ４，ｕ５，ｕ６のうちの入札データに含まれる上述した重複距離が短い方のユーザを、落札者（同乗者）として優先的に決定してもよい。
【００５７】
また、ユーザｕ３，ｕ４，ｕ５，ｕ６の入札金額が上述した重複距離が長くなるに従って多くなるように設定される場合、落札者決定部２４ｄは、入札したユーザｕ３，ｕ４，ｕ５，ｕ６のうちの入札データに含まれる上述した重複距離が最も長いユーザ及び２番目に長いユーザを、落札者（同乗者）として決定してもよい。この場合、上述した予想負担金額は、上述した入札金額に一致する。
【００５８】
タクシー予約部２４ｅは、相乗りタクシーの予約に関する予約データを、落札者決定部２４ｄが落札者として決定したユーザの携帯機器１から受信した入札データに基づいて作成する。
【００５９】
ユーザｕ１，ｕ２の携帯機器１及び落札者決定部２４ｄが落札者として決定したユーザの携帯機器１に送信される予約データは、相乗りタクシーの出発時間、ユーザｕ１，ｕ２のタクシー経路の乗車地点及び降車地点並びにユーザｕ１，ｕ２の負担金額に関する情報と、同乗者に関する情報（同乗者のニックネーム、同乗者のタクシー経路等）と、を有する。
【００６０】
一方、落札者決定部２４ｄが落札者として決定しなかったユーザの携帯機器１に送信される予約データは、当該ユーザが同乗者として決定されなかったことを説明する情報を有する。そして、タクシー予約部２４ｅは、予約データを、通信部２１を介してユーザｕ１，ｕ２，ｕ３，ｕ４，ｕ５，ｕ６の携帯機器１に送信する。
【００６１】
図４は、図１のシステムの処理手順の一例を示すフローチャートである。先ず、ユーザｕ１，ｕ２の携帯機器１は、出品データを作成する（ステップＳ１）。図５は、出品データを作成する際の携帯機器の表示画面の表示例を示す図である。
【００６２】
図５Ａにおいて、ユーザｕ１の携帯機器１の表示画面１２を示す。図５Ａに示す表示例では、乗車地点Ｓから降車地点Ｇまでの実線で示すタクシー経路上に特定地点ａ，ｂ，ｃ，ｄ，ｅ，ｆ，ｇ，ｈ，ｉ，ｊが存在し、距離が３０ｋｍであり、出発時間が１８：３０であり、負担金額が３０００円であり、希望する乗客数が３人であることを示す。
【００６３】
なお、乗車地点Ｓは、特定地点ａから予め決定された距離範囲内にあり、降車地点Ｇは、特定地点ｉから予め決定された距離範囲内にあり、乗車地点Ｓから降車地点Ｇまでのタクシー経路に対する負担金額は、特定地点ａから特定地点ｊまでのタクシー経路に対する負担金額と同一となる。
【００６４】
図５Ｂにおいて、ユーザｕ２の携帯機器１の表示画面１２を示す。図５Ｂに示す表示例では、特定地点ｂと同一である乗車地点Ｓ’から特定地点ｋ’と同一である降車地点Ｇ’までの実線で示すタクシー経路上に特定地点ｃ，ｄ，ｅ，ｆ，ｇ，ｈ’，ｉ’，ｊ’が存在し、距離が２０ｋｍであり、出発時間が１８：００であり、負担金額が２０００円であり、希望する乗客数が２人であることを示す。
【００６５】
次に、ユーザｕ１，ｕ２の携帯機器１は、出品データをサーバ２に送信する（ステップＳ２）。出品データの送信は、図５Ａ及び図５Ｂにそれぞれ示す表示画面１２に表示された決定ボタンＤ１，Ｄ１’を操作することによりＣＰＵ１５によって行われる。
【００６６】
次に、ユーザｕ３，ｕ４，ｕ５，ｕ６の携帯機器１はそれぞれ、ユーザｕ３，ｕ４，ｕ５，ｕ６が希望するタクシー経路の検索を行う（ステップＳ３）。
【００６７】
図６は、相乗りタクシーを検索する際の携帯機器の表示画面の表示例を示す図である。図６Ａにおいて、ユーザｕ３，ｕ４，ｕ５，ｕ６の携帯機器１の表示画面１２に表示された乗車地点及び降車地点の入力画面への表示画面１２のタッチパネルを介した文字入力によって、ユーザｕ３，ｕ４，ｕ５，ｕ６が決定した特定地点が指定される。
【００６８】
例えば、ユーザｕ３は、乗車地点及び降車地点としてそれぞれ特定地点ｃ及び特定地点ｇを指定する。乗車地点及び降車地点の指定を、ユーザｕ３，ｕ４，ｕ５，ｕ６の携帯機器１の表示画面１２に表示される地図の特定地点を操作することによりＣＰＵ１５によって行ってもよい。
【００６９】
また、図６Ａにおいて、ユーザｕ３，ｕ４，ｕ５，ｕ６の携帯機器１の表示画面１２に表示された乗車時間帯の入力画面へのユーザｕ３，ｕ４，ｕ５，ｕ６の携帯機器１の表示画面１２のタッチパネルを介した文字入力によって、乗車時間帯（例えば、１８：００〜１９：００）が入力される。
【００７０】
次に、ユーザｕ３，ｕ４，ｕ５，ｕ６の携帯機器１はそれぞれ、ユーザｕ３，ｕ４，ｕ５，ｕ６が設定した上述した条件に適合した公開データをサーバ２に要求する（ステップＳ４）。公開データの要求は、図６Ａに示す表示画面１２に表示された検索ボタンＲを操作することによりＣＰＵ１５によって行われる。
【００７１】
次に、サーバ２は、ユーザｕ３，ｕ４，ｕ５，ｕ６が設定した上述した条件に適合した公開データを出品データに基づいて作成するとともにユーザｕ３，ｕ４，ｕ５，ｕ６のそれぞれに対応する関連データを作成する（ステップＳ５）。
【００７２】
次に、サーバ２は、ユーザｕ３，ｕ４，ｕ５，ｕ６の携帯機器１が要求した公開データ及びユーザｕ３，ｕ４，ｕ５，ｕ６のそれぞれに対応する関連データを、ユーザｕ３，ｕ４，ｕ５，ｕ６の携帯機器１に送信する（ステップＳ６）。
【００７３】
図６Ｂにおいて、ユーザｕ３の携帯機器１が公開データ及び関連データを受信したときの表示画面１２の表示を示す。図６Ｂのｕ１，ｕ２はそれぞれ、ユーザｕ１，ｕ２のニックネームを表す。ユーザｕ４，ｕ５，ｕ６の携帯機器１の表示画面１２にも同様な表示がされる。
【００７４】
図７は、公開データ及び関連データを表示している携帯機器の表示画面の表示例を示す図である。図７Ａは、図６Ｂのユーザｕ１のニックネーム「ｕ１」を選択した場合にＣＰＵ１５によって表示画面１２に表示される画像を示す。
【００７５】
図７Ａにおいて、表示画面１２には、実線で示すユーザｕ１のタクシー経路は、破線で示すユーザｕ３のタクシー経路と共に表示されるが、図５Ａに示す乗車地点Ｓ及び降車地点Ｇは、マスクＭ１，Ｍ２によってそれぞれ被覆されることにより非公開となる。
【００７６】
例えば、乗車地点Ｓがユーザｕ１の勤務地の前であるとともに降車地点Ｇがユーザｕ１の自宅前である場合、マスクＭ１，Ｍ２によって乗車地点Ｓ及び降車地点Ｇを非公開にすることによって、ユーザｕ１の個人情報の流出を防止することができる。
【００７７】
また、図７Ａにおいて、表示画面１２には、出品者としてのユーザｕ１のニックネーム、ユーザｕ１の性別（女性）、出発時間（１８：００）及び予想負担金額（４００円）を示す。
【００７８】
予想負担金額は、入札金額の基準として設定される。ユーザｕ３は、図７Ａに示す表示画面１２に表示された図形Ｙ１を操作することにより入札金額を上げることができる。また、ユーザｕ３は、図７Ａに示す表示画面１２に表示された図形Ｙ２を操作することにより入札金額を下げることができる。
【００７９】
図７Ｂは、図６Ｂのユーザｕ２のニックネーム「ｕ２」を選択した場合にＣＰＵ１５によって表示画面１２に表示される画像を示す。
【００８０】
図７Ｂにおいて、表示画面１２には、実線で示すユーザｕ２のタクシー経路が、破線で示すユーザｕ３のタクシー経路と共に表示される。また、図７Ｂにおいて、表示画面１２には、出品者としてのユーザｕ２のニックネーム、ユーザｕ２の性別（男性）、出発時間（１８：３０）及び基準となる入札金額（４００円）を示す。
【００８１】
ユーザｕ３は、タクシーの相乗りの際の入札金額を設定するために、図７Ｂに示す表示画面１２に表示された図形Ｙ１’を操作することにより入札データに含める入札金額を上げることができる。
【００８２】
また、ユーザｕ３は、タクシーの相乗りの際の入札金額を設定するために、図７Ｂに示す表示画面１２に表示された図形Ｙ２’を操作することにより入札データに含める入札金額を下げることができる。
【００８３】
次に、ユーザｕ３，ｕ４，ｕ５，ｕ６の携帯機器１はそれぞれ、入札データを作成する（ステップＳ７）。次に、ユーザｕ３，ｕ４，ｕ５，ｕ６の携帯機器１はそれぞれ、入札データをサーバ２に送信する（ステップＳ８）。
【００８４】
入札データの送信は、図７Ａ及び図７Ｂにそれぞれ示す表示画面１２に表示された決定ボタンＤ２，Ｄ２’を操作することによりＣＰＵ１５によって行われる。
【００８５】
次に、サーバ２は、入札したユーザｕ３，ｕ４，ｕ５，ｕ６の携帯機器１から受信した入札データに含まれる上述した重複距離と上述した入札金額のうちの少なくとも一方に基づいて、入札したユーザｕ３，ｕ４，ｕ５，ｕ６のうちの少なくとも一人を落札者として決定する（ステップＳ９）。
【００８６】
例えば、入札したユーザｕ３，ｕ４，ｕ５，ｕ６の携帯機器１から受信した入札データに含まれる上述した重複距離と上述した入札金額がそれぞれ、８ｋｍ及び４００円、１２ｋｍ及び６００円、６ｋｍ及び３００円並びに５ｋｍ及び２５０円である場合、サーバ２は、上述した入札金額が最も高いユーザｕ４及び２番目に高いユーザｕ３を、落札者として決定する。なお、この場合、入札したユーザｕ３，ｕ４，ｕ５，ｕ６のタクシー経路はそれぞれ、特定地点ｃから特定地点ｆまでのタクシー経路、特定地点ｂから特定地点ｆまでのタクシー経路、特定地点ｅから特定地点ｇまでのタクシー経路及び特定地点ｂから特定地点ｇまでのタクシー経路である。
【００８７】
次に、サーバ２は、タクシー経路、出発時間及び負担金額の情報を有する配車データをタクシー配車会社のサーバ（図示せず）に送信し、相乗りタクシーの予約を行う（ステップＳ１０）。
【００８８】
ユーザｕ１，ｕ３，ｕ５がタクシーの相乗りを行うために送信される配車データは、ユーザｕ１，ｕ３，ｕ５のタクシー経路、出発時間（１８：３０）及びユーザｕ１，ｕ３，ｕ４の負担金額の合計（３０００円）の情報を有する。
【００８９】
ユーザｕ２が一人でタクシーに乗車するために送信される配車データは、ユーザｕ２のタクシー経路、出発時間（１８：００）及びユーザｕ２の負担金額（２０００円）の情報を有する。
【００９０】
サーバ２は、タクシーが手配されたことを示す手配データをタクシー配車会社のサーバから受信した場合、予約データをユーザｕ１，ｕ２の携帯機器１に送信する（ステップＳ１１）。手配データは、相乗りタクシー配送会社の会社ＩＤ、配送されるタクシーの情報等を有する。同時に、サーバ２は、予約データをユーザｕ３，ｕ４，ｕ５，ｕ６の携帯機器１に送信する（ステップＳ１２）。
【００９１】
図８は、予約データを表示する際の携帯機器の表示画面の表示例を示す図である。図８Ａは、ユーザｕ１の携帯機器１の表示画面１２における相乗りタクシーの出発時間（１８：３０）、ユーザｕ１のタクシー経路の乗車地点（Ｓ）及び降車地点（Ｇ）、ユーザｕ１の負担金額（２０００円）を示す。ユーザｕ１の負担金額（２０００円）は、乗車地点Ｓから降車地点Ｇまでのタクシー経路を走行するタクシーにユーザｕ１が一人で乗車した場合の負担金額（３０００円）から同乗者であるユーザｕ３の入札金額（４００円）及びユーザｕ４の入札金額（６００円）を差し引いた金額に相当する。この場合、ユーザｕ１がユーザｕ３，ｕ４と相乗りする特定地点ｃから特定地点ｆまでのタクシー経路についてはユーザｕ３，ｕ４がそれぞれ負担金額を折半する（すなわち負担金額をそれぞれ４００円とする）とともにユーザｕ１の負担金額がない。
【００９２】
また、図８Ａは、ユーザｕ１の携帯機器１の表示画面１２における同乗者に関する情報（ユーザｕ３のニックネーム及びタクシー経路（特定地点ｃ−特定地点ｆ）並びにユーザｕ４のニックネーム及びタクシー経路（特定地点ｂ−特定地点ｆ））を示す。
【００９３】
図８Ｂは、ユーザｕ３の携帯機器１の表示画面１２における相乗りタクシーの出発時間（１８：３０）、ユーザｕ３のタクシー経路の乗車地点（ｃ）及び降車地点（ｆ）、ユーザｕ３の入札金額（４００円）を示す。
【００９４】
また、図８Ｂは、ユーザｕ３の携帯機器１の表示画面１２における同乗者に関する情報（出品者であるユーザｕ１のニックネーム並びにユーザｕ４のニックネーム及びタクシー経路（特定地点ｂ−特定地点ｆ））を示す。
【００９５】
図８Ｃは、ユーザｕ４の携帯機器１の表示画面１２における相乗りタクシーの出発時間（１８：３０）、ユーザｕ４のタクシー経路の乗車地点（ｂ）及び降車地点（ｆ）、ユーザｕ４の入札金額（６００円）を示す。
【００９６】
また、図８Ｃは、ユーザｕ４の携帯機器１の表示画面１２における同乗者に関する情報（出品者であるユーザｕ１のニックネーム並びにユーザｕ３のニックネーム及びタクシー経路（特定地点ｃ−特定地点ｆ））を示す。
【００９７】
次に、図１のシステムの処理手順の変形例を、図９を参照して説明する。図９は、図１のシステムの処理手順の変形例を示すフローチャートである。この変形例では、ユーザｕ５の携帯機器１のＲＡＭ１４に格納されるユーザの属性の情報は、ユーザが高齢者等の社会的弱者であることを示す情報を更に有し、ユーザｕ５の携帯機器１から送信される入札データには、社会的弱者に関する情報が更に含まれる。
【００９８】
また、この変形例では、ユーザｕ１，ｕ２の携帯機器１のＣＰＵ１５は、携帯機器１を用いてユーザｕ１，ｕ２が同乗者に関連してそれぞれ選択したユーザの情報を有する選択データを、サーバ２から送信される後に説明する入札結果データに基づいて作成する。そして、ユーザｕ１，ｕ２の携帯機器１のＣＰＵ１５は、作成した選択データを、通信部１１を介してサーバ２に送信する。
【００９９】
また、この変形例では、ＲＡＭ２３は、上述した重複距離とユーザｕ３，ｕ４，ｕ５，ｕ６により設定されたタクシーの相乗りの際のユーザｕ３，ｕ４，ｕ５，ｕ６の入札金額のうちの少なくとも一方に基づいて決定された順番で並べられた入札したユーザｕ３，ｕ４，ｕ５，ｕ６の情報を更に格納する。
【０１００】
また、この変形例では、落札者決定部２４ｄは、上述した重複距離と上述した入札金額のうちの少なくとも一方に基づいて決定された順番で並べられた入札したユーザｕ３，ｕ４，ｕ５，ｕ６の情報を有する入札結果データを作成する。そして、落札者決定部２４ｄは、作成した入札結果データを、通信部２１を介してユーザｕ１，ｕ２の携帯機器１に送信する。これによって、入札結果データは、ユーザｕ１，ｕ２の携帯機器１に提供される。
【０１０１】
また、この変形例では、落札者決定部２４ｄは、ユーザｕ１，ｕ２の携帯機器１から受信した上述した選択データに基づいて、入札したユーザｕ３，ｕ４，ｕ５，ｕ６の中から搭乗者である落札者を決定する。
【０１０２】
また、この変形例では、タクシー予約部２４ｅは、相乗りタクシーの予約に関する予約データを、ユーザｕ１，ｕ２の携帯機器１から受信した上述した選択データに基づいて作成する。
【０１０３】
また、この変形例では、ユーザｕ１，ｕ２の携帯機器１及びユーザｕ１，ｕ２が同乗者に関連して選択したユーザの携帯機器１に送信される予約データは、相乗りタクシーの出発時間、ユーザｕ１，ｕ２のタクシー経路の乗車地点及び降車地点並びにユーザｕ１，ｕ２の負担金額に関する情報と、同乗者に関する情報（同乗者のニックネーム、同乗者のタクシー経路等）と、を有する。一方、ユーザｕ１，ｕ２が同乗者に関連して選択しなかったユーザの携帯機器１に送信される予約データは、当該ユーザが同乗者として選択されなかったことを示す情報を有する。そして、タクシー予約部２４ｅは、予約データを、通信部２１を介してユーザｕ１，ｕ２，ｕ３，ｕ４，ｕ５，ｕ６の携帯機器１に送信する。
【０１０４】
図９に示すフローチャートのステップＳ８でユーザｕ３，ｕ４，ｕ５，ｕ６の携帯機器１がそれぞれ入札データをサーバ２に送信した後、サーバ２は、入札結果データを、出発時間より所定の時間前（例えば、出発時間の１時間前）に作成する（ステップＳ２１）。次に、サーバ２は、作成した入札結果データをユーザｕ１，ｕ２の携帯機器１に送信する（ステップＳ２２）。
【０１０５】
例えば、ユーザｕ１の携帯機器１には、入札者がユーザｕ３，ｕ４，ｕ５，ｕ６の４人であることを示す入札結果データが送信され、ユーザｕ２の携帯機器１には、入札者がいなかったことを示す入札結果データが送信される。
【０１０６】
図１０は、入札結果データを表示する際の携帯機器の表示画面の第１の表示例を示す図である。図１０Ａでは、ユーザｕ１の携帯機器１の表示画面１２の表示において入札したユーザｕ３，ｕ４，ｕ５，ｕ６の順番を重複距離が長い順に決定して並べた例を示す。
【０１０７】
図１０Ａにおいて、入札者としてユーザｕ４、ユーザｕ３、ユーザｕ５及びユーザｕ６の順番に並べられている。このようにユーザｕ３，ｕ４，ｕ５，ｕ６の順番を重複距離が長い順に決定して並べることによって、重複距離に基づく同乗者の決定が容易になる。
【０１０８】
図１０Ａにおいて、ユーザｕ４の重複距離及び入札金額がそれぞれ１２ｋｍ及び６００円であり、ユーザｕ３の重複距離及び入札金額がそれぞれ８ｋｍ及び４００円であり、ユーザｕ５の重複距離及び入札金額がそれぞれ６ｋｍ及び２００円であり、ユーザｕ６の重複距離及び入札金額がそれぞれ５ｋｍ及び３００円であることを示す。また、図１０Ａにおいて、ユーザｕ３が女性であり、ユーザｕ４，ｕ５，ｕ６が男性であり、ユーザｕ５が高齢者であることを示す。
【０１０９】
次に、ユーザｕ１，ｕ２の携帯機器１は、選択データを作成する（ステップＳ２３）。ユーザｕ１の携帯機器１による選択データの作成は、例えば、図１０Ｂに示すように、表示画面１２に表示された丸印Ｓ１，Ｓ２を選択する操作を行うことによりＣＰＵ１５によって行われる。したがって、ユーザｕ１の携帯機器１によって作成される選択データは、携帯機器１を用いてユーザｕ１が同乗者に関連してそれぞれ選択したユーザの情報を有する。なお、入札者がいなかったユーザｕ２の携帯機器１では、ユーザｕ２のみがタクシーに乗車することを示す選択データがＣＰＵ１５によって作成される。
【０１１０】
図１０Ｂに示す例では、ユーザｕ１が、相乗り可能な人数が三人であるときに二人の同乗者を選択する際に、一人目の同乗者として女性であるユーザｕ３を選択するとともに二人目の同乗者として高齢者であるユーザｕ５を選択したことを示す。
【０１１１】
次に、ユーザｕ１，ｕ２の携帯機器１は、作成された選択データをサーバ２に送信する（ステップＳ２４）。ユーザｕ１の携帯機器１による選択データの送信は、図８Ａ及び図８Ｂにそれぞれ示す表示画面１２に表示された決定ボタンＤ３を操作することによりＣＰＵ１５によって行われる。また、入札者がいなかったユーザｕ２の携帯機器１は、ユーザｕ２のみがタクシーに乗車することを示す選択データをサーバ２に送信する。
【０１１２】
次に、入札結果データを表示している携帯機器の表示画面の第２の表示例を、図１１を参照して説明する。図１１は、入札結果データを表示する際の携帯機器の表示画面の第２の表示例を示す図である。図１１Ａでは、入札したユーザｕ３，ｕ４，ｕ５，ｕ６の順番を入札金額が多い順に並べてユーザｕ１の携帯機器１の表示画面１２に表示した例を示す。
【０１１３】
図１１Ａにおいて、入札者としてユーザｕ４、ユーザｕ３、ユーザｕ６及びユーザｕ５の順番に並べられている。このようにユーザｕ３，ｕ４，ｕ５，ｕ６の順番を入札金額が多い順に決定して並べることによって、入札金額に基づく同乗者の決定が容易になり、ユーザｕ１の負担金額を低減するような選択が可能となる。
【０１１４】
図１１Ａにおいて、ユーザｕ４の入札金額及び重複距離がそれぞれ６００円及び１２ｋｍであり、ユーザｕ３の入札金額及び重複距離がそれぞれ４００円及び８ｋｍであり、ユーザｕ６の入札金額及び重複距離がそれぞれ３００円及び５ｋｍであり、ユーザｕ６の入札金額及び重複距離がそれぞれ２００円及び６ｋｍであることを示す。また、図１１Ａにおいて、ユーザｕ３が女性であり、ユーザｕ４，ｕ５，ｕ６が男性であり、ユーザｕ５が高齢者であることを示す。
【０１１５】
図１１Ａに示すような画像が表示画面１２に表示されたときの選択データの作成は、例えば、図１１Ｂに示すように、表示画面１２に表示された丸印Ｓ１’，Ｓ２’を選択する操作を行うことによりＣＰＵ１５によって行われる。
【０１１６】
図１１Ｂに示す例では、ユーザｕ１が、相乗り可能な人数が三人であるときに二人の同乗者を選択する際に、一人目の同乗者として女性であるユーザｕ３を選択するとともに二人目の同乗者として高齢者であるユーザｕ５を選択したことを示す。
【０１１７】
次に、サーバ２は、ユーザｕ１，ｕ２の携帯機器１から受信した上述した選択データに基づいて、入札したユーザｕ３，ｕ４，ｕ５，ｕ６の中から搭乗者である落札者を決定する（ステップＳ２５）。
【０１１８】
次に、サーバ２は、タクシー経路、出発時間及び負担金額の情報を有する配車データをタクシー配車会社のサーバ（図示せず）に送信し、相乗りタクシーの予約を行う（ステップＳ２６）。
【０１１９】
ユーザｕ１，ｕ３，ｕ５がタクシーの相乗りを行うために送信される配車データは、ユーザｕ１，ｕ３，ｕ５のタクシー経路、出発時間（１８：３０）及びユーザｕ１，ｕ３，ｕ５の負担金額の合計（３０００円）の情報を有する。ユーザｕ２が一人でタクシーに乗車するために送信される配車データは、ユーザｕ２のタクシー経路、出発時間（１８：００）及びユーザｕ２の負担金額（２０００円）の情報を有する。
【０１２０】
サーバ２が、上述した手配データをタクシー配車会社のサーバから受信すると、サーバ２は、予約データをユーザｕ１，ｕ２の携帯機器１に送信する（ステップＳ２７）。同時に、サーバ２は、予約データをユーザｕ３，ｕ４，ｕ５，ｕ６の携帯機器１に送信する（ステップＳ２８）。
【０１２１】
図１２は、予約データを表示する際の携帯機器の表示画面の表示例を示す図である。図１２Ａは、ユーザｕ１の携帯機器１の表示画面１２における相乗りタクシーの出発時間（１８：３０）、ユーザｕ１のタクシー経路の乗車地点（Ｓ）及び降車地点（Ｇ）、ユーザｕ１の負担金額（２４００円）を示す。ユーザｕ１の負担金額（２４００円）は、乗車地点Ｓから降車地点Ｇまでのタクシー経路を走行するタクシーにユーザｕ１が一人で乗車した場合の負担金額（３０００円）から同乗者であるユーザｕ３の入札金額（４００円）及びユーザｕ５の入札金額（２００円）を差し引いた金額に相当する。
【０１２２】
また、図１２Ａは、ユーザｕ１の携帯機器１の表示画面１２における同乗者に関する情報（ユーザｕ３のニックネーム及びタクシー経路（特定地点ｃ−特定地点ｆ）並びにユーザｕ５のニックネーム及びタクシー経路（特定地点ｅ−特定地点ｇ））を示す。
【０１２３】
図１２Ｂは、ユーザｕ３の携帯機器１の表示画面１２における相乗りタクシーの出発時間（１８：３０）、ユーザｕ３のタクシー経路の乗車地点（ｃ）及び降車地点（ｆ）、ユーザｕ３の入札金額（４００円）を示す。
【０１２４】
また、図１２Ｂは、ユーザｕ３の携帯機器１の表示画面１２における同乗者に関する情報（出品者であるユーザｕ１のニックネーム並びにユーザｕ５のニックネーム及びタクシー経路（特定地点ｅ−特定地点ｇ））を示す。
【０１２５】
図１２Ｃは、ユーザｕ５の携帯機器１の表示画面１２における相乗りタクシーの出発時間（１８：３０）、ユーザｕ５のタクシー経路の乗車地点（ｅ）及び降車地点（ｇ）、ユーザｕ５の入札金額（２００円）を示す。
【０１２６】
また、図１２Ｃは、ユーザｕ５の携帯機器１の表示画面１２における同乗者に関する情報（出品者であるユーザｕ１のニックネーム並びにユーザｕ３のニックネーム及びタクシー経路（特定地点ｃ−特定地点ｆ））を示す。
【０１２７】
本実施の形態によれば、出品者であるユーザは、出品者であるユーザにより設定されたタクシー経路と入札者であるユーザにより設定されたタクシー経路の重複距離と入札金額の少なくとも一方に基づいて、入札者であるユーザの中から適切な同乗者を設定することができる。これによって、相乗りタクシーの全てのユーザに適切であるタクシー経路及び負担金額を決定することができる。
【０１２８】
また、出品者であるユーザのタクシー経路の乗車地点と降車地点のうちの少なくとも一方を非公開にすることによって、出品者であるユーザの個人情報の流出を防止することができる。
【０１２９】
また、入札者であるユーザのタクシー経路の乗車地点及び降車地点を公共施設の入り口前等の特定地点に設定することによって、入札者であるユーザの個人情報の流出を防止することができる。
【０１３０】
また、出品データに出品者であるユーザの属性を含めることによって、入札者であるユーザは、出品者であるユーザのタクシー経路に対して入札するか否かの判断を適切に行うことができる。
【０１３１】
例えば、ユーザの性別を出品データに含めることによって、入札者であるユーザは、出品者であるユーザのタクシー経路に対して入札するか否かの判断を、出品者であるユーザの性別に基づいて行うことができる。この場合、入札者である女性のユーザは、選択する出品者を女性のユーザに限定することができる。
【０１３２】
また、公開データに関連するとともに携帯機器１の表示画面１２に表示可能な関連データを作成することによって、入札者であるユーザは、出品者であるユーザのタクシー経路に対して入札するか否かの判断を適切に行うことができる。
【０１３３】
例えば、上述した重複距離及び上述した予想負担金額を関連データに含めることによって、入札者であるユーザは、出品者であるユーザのタクシー経路に対して入札するか否かの判断を、上述した重複距離及び上述した予想負担金額に基づいて行うことができる。
【０１３４】
また、入札データに入札者であるユーザの属性を含めることによって、出品者であるユーザの同乗者の選択を、サーバ２によって適切に行うことができる。例えば、入札データに入札者であるユーザの性別を含めることによって、サーバ２は、入札者であるユーザを出品者であるユーザの同乗者として選択するか否かの判断を、入札者であるユーザの性別に基づいて行うことができる。この場合、サーバ２は、選択する入札者を女性のユーザに限定することができる。
【０１３５】
さらに、上述した変形例において、入札者であるユーザの属性の情報に入札者であるユーザが社会的弱者（この場合、高齢者）であることを示す情報を含めることによって、出品者であるユーザは、入札者であるユーザから社会的弱者のユーザを同乗者として優先的に選択することができる。
【０１３６】
本発明は、上記実施の形態に限定されるものではなく、幾多の変更及び変形が可能である。例えば、携帯機器１の代わりにパーソナルコンピュータ等を用いてもよい。また、入札者であるユーザの属性の情報及び出品者であるユーザの属性の情報はそれぞれ、荷物預けの有無に関する情報のような他の情報を含んでもよい。
【０１３７】
また、入札者であるユーザは、タクシー経路の乗車地点と降車地点のうちの少なくとも一方を、特定地点から予め決定された距離範囲内にある地点に指定することもできる。すなわち、入札者であるユーザは、出品者であるユーザのタクシー経路と少なくとも一部が重複すればよい。
【０１３８】
例えば、特定地点ｃから予め決定された距離範囲内にある地点を乗車地手として設定するとともに特定地点ｆから予め決定された距離範囲内にある地点を乗車地手として設定する場合、負担金額は、特定地点ｃから特定地点ｆまでのタクシー経路に対する負担金額と同一にする。
【０１３９】
さらに、上述した変形例において、出品者であるユーザの携帯機器１の表示画面１２の表示において入札者であるユーザを重複距離と入札金額の両方に基づいて並べてもよい。例えば、入札者であるユーザを重複距離が長い順に並べる際に重複距離が同一である場合には、入札金額が多いユーザを先に並べる。また、重複距離と入札金額のいずれもが同一である場合には、例えば、入札時間の早い順に並べてもよい。
【符号の説明】
【０１４０】
１    携帯機器
２    サーバ
３    基地局
４，６，８，１０    有線
５    ＬＴＥ網
７    ゲートウェイ
９    インターネット網
１１，２１    通信部
１２    表示画面
１３，２２    ＲＯＭ
１４，２３    ＲＡＭ
１５，２４    ＣＰＵ
２４ａ    出品データ取得部
２４ｂ    公開データ提供部
２４ｃ    入札データ取得部
２４ｄ    落札者決定部
２４ｅ    タクシー予約部
【図１】
2020021143.tif 000003
【図２】
2020021143.tif 000004
【図３】
2020021143.tif 000005
【図４】
2020021143.tif 000006
【図５】
2020021143.tif 000007
【図６】
2020021143.tif 000008
【図７】
2020021143.tif 000009
【図８】
2020021143.tif 000010
【図９】
2020021143.tif 000011
【図１０】
2020021143.tif 000012
【図１１】
2020021143.tif 000013
【図１２】
2020021143.tif 000014